(57)【特許請求の範囲】
【請求項１】
ベースと、
第１と第２の対向する端部を有するシャフトであって、第１の端部は、ベースへ取付けられ、かつ第２の端部に、またはその近くにおいて、音を生成するために打楽器の受打部を打つ打撃部材へ接続されるようになっているシャフトと、
つま先端部とかかと端部を有し、かつフットプレートのかかと端部に回動自在に取付けられるフットプレートとを備え、さらに、
フットプレートを踏むと、シャフトが第１の方向に移動して、打撃部材がシャフトへ接続される場合、打楽器を打つように、シャフトと係合するようになっている回転部材を備え、つま先端部に隣接するフットプレートへ接続される軸受手段と、
シャフトを第１の方向とは反対の、第２の方向へ押圧する弾性手段と、
を備えることを特徴とするペダル組立体。
【請求項２】
シャフトは湾曲していることを特徴とする請求項１に記載のペダル組立体。
【請求項３】
シャフトは、フットプレートから離れて湾曲していることを特徴とする請求項１または２に記載のペダル組立体。
【請求項４】
回転部材は、フットプレートのつま先端部へ取付けられ、かつシャフトと係合するようになっていることを特徴とする請求項１から３のいずれか一項に記載のペダル組立体。
【請求項５】
弾性手段は、シャフトとフットプレート近くのベース部分との間に延びる引込み手段を備えることを特徴とする請求項１から４のいずれか一項に記載のペダル組立体。
【請求項６】
弾性手段は、初期位置へ戻ろうとする弾性材料から成るシャフトを備えることを特徴とする請求項１から４のいずれか一項に記載のペダル組立体。
【請求項７】
シャフトは、縦方向の重心が第２の端部へ近いような構造を有することを特徴とする請求項１から６のいずれか一項に記載のペダル組立体。
【請求項８】
シャフトは、第１の端部からシャフトの長さの中間位置まで延びる中空部を有することを特徴とする請求項７に記載のペダル組立体。
【請求項９】
フットプレートはベースプレートに実質的に重なり、
シャフトは角度を付けられて曲げられ、
軸受手段は玉軸受を備え、その外面はシャフトと係合するようになっていて、通常の非作動位置において、軸受手段は、シャフトの一部に少なくとも部分的に重なり、またフットプレートを踏むと、シャフトは、フットプレートが上昇するまで通常の非作動位置に戻ることができないことを特徴とする請求項１から８のいずれか一項に記載のペダル組立体。
【請求項１０】
シャフトには、第１の端部と第２の端部との間に湾曲した部分が有り、その湾曲した部分は、使用に際して打楽器と反対の方向に面する凸状軸受面を形成し、および
軸受手段は、フットプレートを踏むと、軸受手段が凸状軸受面に沿って移行するように、凸状軸受面と係合することを特徴とする請求項１から９のいずれか一項に記載のペダル組立体。
【発明の詳細な説明】
【０００１】
【発明の属する技術分野】
本発明は、打楽器を打つためのペダル組立体に関する。
【０００２】
【従来の技術】
ベースドラムペダルは、数十年間使用されている。これらのペダルは、間接回転機構を一般に備える。ドラムセットのフットペダルは、フットボードへ圧力を加えビーターを回転して、ドラムヘッドを打つ。フットペダルを安定化するために、下記の３つの一般的構造のうちの１つが使用される。
（１）接続ロッドが、ビーター部材のシャフト軸を回転自在に支承するフレーム部材と、フットボードの後縁部を支承するかかと部材とを相互接続する。
（２）ベースプレートが、フレーム部材がネジによりベースプレートへ装着されるように、フレーム部材とかかと部材との間に設けられる。
（３）第１と第２の構造が、米国特許第４，５３８，４９９号に開示されるように組合せされる。
【０００３】
第１の構造において、フットボードは踏まれるが、かかと部材は高くできる。フレーム部材とヒール部材は、接続ロッドだけで接続される。したがって、フットボードの踏み作動に応答して打撃タイミングと打撃強さを安定化することができない。
【０００４】
第２の構造は、所謂両面一点支承構造体を採用し、その構造体によりフレーム部材がベースプレートへ装着される。フレーム部材は、支承点の回りにおいてベースプレートと共に回転できるが、それは不安定な構造である。
【０００５】
第３の構造において、接続ロッドは、フレーム部材とベースプレートとの間の接続を有効に補強できない。これにより、所要の部材数の増加が必要となる。またベースプレートが曲げ変形を受ける可能性もある。
【０００６】
Ｋｕｒｏｓａｋｉ氏の米国特許第５，４５８，０３８号では、ビーターを接続する揺動部材を有することにより、これらの安定性不足を克服しようとしている。この揺動部材は、垂直面で回転できるように取付けられる。チェ―ンが、フットプレートの端部から、揺動部材の周りに延びる。フットプレートのつま先端部を踏むと、揺動部材が回転し、かつビーターがドラムを打つことができる。
【０００７】
従来技術は、回転力が常に必要であることを教示する。また手動操作には、ペダルを始動位置または上方位置へ跳ね返らせるバネが常に必要であった。この跳ね返りはペダルと関係ないので、さらに跳ね返ると、好ましくないドラムの再打撃が生じることがある。したがって、ペダル操作は、抵抗バネと、およびペダルの関連する移動部材とにより常に抑制されている。より力強くビーターを打つには、より大きいペダル力、したがってより大きい抵抗のバネ作動が必要である。これにより、多くの跳ね返りおよび好ましくないドラムの打撃が生じる。Ｓｃｉｒｅ氏の米国特許第６，０７５，１９１号は、動力式ドラムペダルを提供するが、レバー作動を実施するためにベルトとホイールの複雑な配列を必要とする。
【０００８】
【発明が解決しようとする課題】
本発明は、
ベースと、
第１と第２の対向する端部を有するシャフトであって、第１の端部は、ベースへ取付けられ、かつ第２の端部に、またはその近くにおいて、音を生成するために打楽器の受打部を打つ打撃部材へ接続されるようになっているシャフトと、
つま先端部とかかと端部を有し、かつかかと端部に回動自在に取付けられるフットプレートとを備え、
フットプレートを踏むと、シャフトが第１の方向に移動して、打撃部材がシャフトへ接続される場合、打楽器を打つように、シャフトと係合するようになっている回転部材を備え、つま先端部へ隣接するフットプレートへ接続される軸受手段と、
シャフトを第１の方向とは反対の、第２の方向へ押圧する弾性手段と、
をさらに備えることを特徴とするペダル組立体を提供する。
【０００９】
【課題を解決するための手段】
ペダル組立体は、直線状シャフト、または湾曲状シャフト、もしくはその組合せ状シャフトを有することができる。好ましくはシャフトは、フットプレートから離れて湾曲される。
【００１０】
フットプレートは、フットプレートのつま先端部に隣接して設けられた軸受手段と共に、フットプレートのかかと端部で回動自在に取付けられる。軸受手段は、フットプレートのつま先端部とシャフトとを係合できる回転部材を構成できる。ひとつの形態として、回転部材はフットプレートのつま先端部および玉軸受に取付けられるか、もしくは回転ホイールがシャフトと係合できる他方の端部に取付けられる。
【００１１】
弾性手段は、１つの形態において、シャフトとフットペダルに近いベース部分との間に延びるバネのような引き込み手段から構成できる。弾性手段は、他の形態において、フットペダルからシャフトの他方の側にある圧縮手段から構成される。弾性手段は、さらに別の形態において、初期位置へ戻ろうとする弾性材料から成るシャフトから構成される。
【００１２】
ベースプレートは、床と係合できるようにしてもよい。フットプレートは、ベースプレートへ実質的に重ねることができる。シャフトは、角度を付けて曲げられ、かつフットプレートの末端部近くに回動自在に取付けできる。組立体は、シャフトと係合できる軸受手段を取付けるために、フットプレートの末端部から延びる伸張手段を備えることができる。通常の非作動位置において、軸受手段は、シャフトの一部に少なくとも部分的に重なり、またフットプレートを踏むと、打楽器打撃手段が、シャフトの自由（第２の）端部へ接続される打楽器を打つことができるように、かつシャフトが、フットプレートが上昇されるまで通常の非作動位置まで戻ることができないようにシャフトを偏らせることができる。
【００１３】
シャフトの直線状移動は、一実施例に従う新奇な態様である。「直線状シャフト」とは、シャフトが垂直面で移行するようになっていることを意味する。フットプレートを踏むことにより、フットプレートは、下方に回動して軸受と直線状シャフトとの間に強制的に接触し、かつ直線状シャフトを前方へ回動させる。直線状シャフトは好ましくは、使用に際して単一の垂直面に置かれる湾曲した形状のものである。フットプレート軸受の軸受面は、シャフトに沿って強制的に下方へ移行されて、長さに関して軸受により直線状シャフトの表面を下方へ移行されるビーターが、前方へより大きい長さを移動できる。ビーターは、ドラムスキンまたはドラムヘッドのような打楽器の表面、もしくは他の打楽器の表面へより大きい力を加えることができ、それにより一層高い可聴音色が生成される。
【００１４】
【発明の実施の形態】
本発明は、図面を参照すれば一層十分に理解される。
図１は、ベースドラムペダル用ペダル組立体を示す。組立体２１には、フットプレート３１、およびシャフト５１を有する直線状ベースプレート４１とが備えられ、シャフト５１は、ビーター（図示されない）を保持するために一端部へ取付けられ、かつフットプレート３１が下方へ移動するとドラムスキンのヘッドを打つためにビーターの前方移動が生じるように接続される。
【００１５】
直線状ベースプレート４１は、床上に載置されるようになっている。直線状フットプレート３１は、対応する一端部近くでベースプレート４１へ接続され、かつベースプレート４１へ実質的に重なる。取付けがヒンジ手段により実施され、そのヒンジ手段は、ベースプレート４１から延びる端部取付けフランジ４２へ回動ピン３３により回動自在に接続され、フットプレート３１の下部から延びるフットプレート３２を備える。
【００１６】
シャフト５１は、湾曲した部分５４により相互に接続される直線状の第１の部分５２と第２の部分５３により形成されて、単一の平面で延びる曲がりシャフトを形成する。第１の部分５２は、ベースプレート４１へヒンジ付けで取付けられる。第１の部分５２は、初めにベースプレート４１に関して垂直であり、ついで打楽器（図示されない）へ向けてフットプレート３１から離れて湾曲する。第２の部分５３は、ビーター（図示されない）のハンドルを保持する溝５８を備える。楽器と音楽の種類に応じて、種々の型式のビーターを、様々な効果を出すのに使用することができる。
【００１７】
シャフト５１のベースプレート４１上への取付けは、対向する軸受ハウジングの手段により実施され、そのハウジングは、ベースプレート４１へ固定されるシャフト取付け台４３、および第１の部分５２の両側、またはそれを通して延びる固定された回動アーム５５を形成する。これにより、ベースプレート４１に関してフットプレート３１の回動移動と共面のシャフト５１の往復回動移動ができる。
【００１８】
シャフト５１は、第１の部分５２の取付け端部からシャフト５１の長さのほぼ四分の三まで中空にされる。したがって重心はビーターを保持するシャフト５１の上端部近くにあり、シャフト５１の上端部を重く感じさせて音楽性を向上させる。シャフト５１は、フットプレート３１に面するシャフト５１の側に嵌めた硬質配合ゴム帯片から成る軸受面５６を有する。
【００１９】
軸受手段６１は、フットプレート３１をシャフト５１へ接触させ、かつヒンジ付き端部から末端にあるフットプレート３１の上端部に取付けられる。軸受手段６１は、外部接触面６３を有する玉軸受を備え、かつフットプレート３１へ固定されるハウジング６２内に拘束される。接触面６３が軸受面５６と係合できるように、フットプレート３１はサイズが決められ、かつハウジング６２はサイズが決められ、フットプレート３１の上面からシャフト５１へ向けて角度を付けて曲げられる。したがってフットプレート３１を踏むと、ビーターをドラムヘッドへ向けて押圧するように前方方向にシャフト５１を移動できる。
【００２０】
弾性手段すなわちバネ７１は、ビーターをドラムヘッドからその初期位置まで戻すように後方方向にシャフト５１を押圧する。バネ７１の一端部は、軸受面５６の下方の第１の部分５２へ接続され、かつフットプレート３１の真下を、ベースプレート４１の中間部分へ固定されるバネ取付け台４４まで延びる。バネ取付け台４４は、シャフト５１の初期位置までの戻り力を調整するためにバネ歪み調整手段を備える。その調整により、個別の演奏者毎に張力の様々な設定ができる。
【００２１】
使用に際してシャフト５１の前方移動は、フットプレート３１へ下方の圧力を加えることにより実現される。フットプレート３１と直線状シャフト５１の初期位置への戻りは、バネ７１により実現される。ベースプレート４１上のシャフト取付け台４３の前方にある締め具４５は、ペダル組立体２１をベースドラムへ取付ける。
【００２２】
【発明の効果】
上述の好ましい実施例は、説明上のものであり、制約的なものではない。例えば、その好ましい実施例は、単一のビーターを有するベースドラム用のフットペダルに関して説明されている。しかしながら本発明の基本的構造は、ツインビーター型ペダル、サイドペダル、または左右両方の足を必要とするダブルペダルのような構成物に対し適用することができる。さらに本発明は、ハイハットシンバルに適応でき、そこにおいて、シャフト５１が一対のシンバルの１つの部材へ接続され、その一対のシンバルは、フットペダルを踏むと、その部材が他のシンバルを打つように離間している。
【図面の簡単な説明】
【図１】図１は、本発明の好ましい実施例に従う組立体の側面図である。
【図１】
0003778279.tif 000002